(57)【要約】【課題】組立工程が簡単であり、製品原価が割安で、何らの補助手段を用いなくとも筐体シャーシの後部と筐体カバーとの間の確実な電気的導通を達成できる電子機器の筐体構造を得るにある。【解決手段】筐体シャーシの前面パネル部に上部折返し片を設け、同上部折返し片に圧接される導電シールを受け入れるシールリテーナを前面パネル部に面した筐体カバーの前縁部に取り付ける電子機器の筐体構造において、前記筐体シャーシの後壁折返しに突き当てることができる突当て部材を前記筐体カバーの後部下面に固定する電子機器の筐体構造。【選択図】　　　図１
2004006546.tif 000002
【特許請求の範囲】
【請求項１】
筐体シャーシの前面パネル部に上部折返し片を設け、同上部折返し片に圧接される導電シールを受け入れるシールリテーナを前面パネル部に面した筐体カバーの前縁部に取り付ける電子機器の筐体構造において、前記筐体シャーシの五に突き当てることができる突当て部材を前記筐体カバーの後部下面に固定したことを特徴とする電子機器の筐体構造。
【請求項２】
前記突当て部材はノコ歯部材であり、前記五の先端には同ノコ歯部材に係合できる歯部が形成される請求項１記載の電子機器の筐体構造。
【請求項３】
前記突当て部材は筐体カバーの後部を”Ｌ”字状に折り返して構成した突当て片であることを特徴とする請求項１記載の電子機器の筐体構造。
【請求項４】
筐体シャーシの前面パネル部に上部折返し片を設け、同上部折返し片に圧接される導電シールを受け入れるシールリテーナを前面パネル部に面した筐体カバーの前縁部に取り付ける電子機器の筐体構造において、前記筐体シャーシの後壁には複数の切起し片が突起され、筐体カバーの後縁には前記切起し片に突き当てることができるリセスを形成したことを特徴とする電子機器の筐体構造。
【請求項５】
筐体シャーシの前面パネル部に上部折返し片を設け、同上部折返し片に圧接される導電シールを受け入れるシールリテーナを前面パネル部に面した筐体カバーの前縁部に取り付ける電子機器の筐体構造において、前記筐体シャーシの後壁には複数の切起し片が突起され、筐体カバーの後部には前記切起し片に突き当てることができる係合孔が形成されたことを特徴とする電子機器の筐体構造。
【発明の詳細な説明】
【０００１】
【発明の属する技術分野】
本発明は電子機器の筐体構造に関し、電子機器筐体のシールド状態を確実に保ち、分解・組立が容易な構造に関する。
【０００２】
【背景技術】
周知のように、例えばオシロスコープなどのような電子機器の筐体は、組み込まれる内部電気素子などに対する外部磁界や電界の悪影響を防止するため、全体をシールド状態に保つ必要がある。
【０００３】
図８から図１１は従来の電子機器筐体を示し、この電子機器筐体は図示を省略する回路基板などを内部に組み込む金属板製の筐体シャーシ１０Ａを備え、上面及び両側面を開放された同筐体シャーシ１０Ａは金属板を”コ”字状に曲げ加工して作る筐体カバー２０Ａで覆われる。
【０００４】
即ち、対向した前面パネル部１１及び後壁１２をもつように曲げ加工される前記筐体シャーシ１０Ａには、上部折返し片１３、後壁折返し１４、底壁内フランジ１５が形成され、筐体カバー２０Ａの両カバー側壁２１は径大の取付孔３１に貫通される組立ねじ３２を用いて前記後壁折返し１４のねじ孔３３に固定される。
また、筐体カバー２０Ａを電気的に筐体シャーシ１０Ａに導通させてシールド状態を得るため、前記上部折返し片１３に対面した筐体カバー２０Ａの前縁下面には導電シール４０を保持できるシールリテーナ２２がスポット溶接され、ゴムチューブの外周面に金属網を積層して作られる同導電シール４０は、図９に示すように、上部折返し片１３の突き当てによりシールリテーナ２２中で圧縮され、導電シール４０の外周面の金属網を介して筐体シャーシ１０Ａと筐体カバー２０Ａとが電気的に導通状態におかれる。
【０００５】
そして、導電シール４０を介しての筐体シャーシ１０Ａと筐体カバー２０Ａとの間の導通状態を保つため、筐体カバー２０Ａのカバー後壁２３に形成する貫通孔５１に挿入する固定ねじ５２が固定ねじ孔５３に緊締される。
【０００６】
【発明が解決しようとする課題】
しかしながら、従来の電子機器の筐体構造は、以上のような構造であるので、固定ねじ５２の使用により製造原価が割高となるばかりでなく、筐体カバー２０Ａにカバー後壁２３を曲げ成形するため、筐体シャーシ１０Ａの後部にカバー後壁２３の厚み分のデッドスペースが形成される。
また、固定ねじ５２による固定作業は、導電シール４０を圧縮しながらの作業となり、大きな締結トルクにより作業性が悪い。
【０００７】
そして、従来の筐体構造では、筐体シャーシ１０Ａの後部と筐体カバー２０Ａのカバー後壁２３とは固定ねじ５２と固定ねじ孔５３による不確実な接触であるから、筐体シャーシ１０Ａの後部と筐体カバー２０Ａの後部との間の完全な電気的導通状態を得るためには、筐体シャーシ１０Ａの後壁折返し１４と筐体カバー２０Ａの後部下面との間に金属ばねや導電ガスケットを介在させるか、または、補助ねじで後壁折返し１４と筐体カバー２０Ａの後部とを結合する必要があった。
【０００８】
本発明の目的は、以上に述べたような従来の電子機器の筐体構造の問題に鑑み、組立工程が簡単であり、製品原価が割安で、何らの補助手段を用いなくとも筐体シャーシの後部と筐体カバーとの間の確実な電気的導通を達成できる電子機器の筐体構造を得るにある。
【０００９】
【課題を解決するための手段】
この目的を達成するため、本発明は、筐体シャーシの前面パネル部に上部折返し片を設け、同上部折返し片に圧接される導電シールを受け入れるシールリテーナを前面パネル部に面した筐体カバーの前縁部に取り付ける電子機器の筐体構造において、前記筐体シャーシの後壁折返しに突き当てることができる突当て部材を前記筐体カバーの後部下面に固定する電子機器の筐体構造を提案するものである。
【００１０】
後述する本発明の好ましい実施例の説明においては、
１）前記突当て部材はノコ歯部材であり、前記後壁折返しの先端には同ノコ歯部材に係合できる歯部が形成される構造、
２）前記突当て部材は筐体カバーの後部を”Ｌ”字状に折り返して構成した突当て片である構造、
３）筐体シャーシの前面パネル部に上部折返し片を設け、同上部折返し片に圧接される導電シールを受け入れるシールリテーナを前面パネル部に面した筐体カバーの前縁部に取り付ける電子機器の筐体構造において、前記筐体シャーシの後壁には複数の切起し片が突起され、筐体カバーの後縁には前記切起し片に突き当てることができるリセスを形成する構造、
４）筐体シャーシの前面パネル部に上部折返し片を設け、同上部折返し片に圧接される導電シールを受け入れるシールリテーナを前面パネル部に面した筐体カバーの前縁部に取り付ける電子機器の筐体構造において、前記筐体シャーシの後壁には複数の切起し片が突起され、筐体カバーの後部には前記切起し片に突き当てることができる係合孔が形成される構造
が説明される。
【００１１】
【発明の実施の形態】
以下、図１から図７について本発明による電子機器の筐体構造の実施例の詳細を説明する。
図１から図３は本発明の第１実施例による電子機器の筐体構造を示している。
【００１２】
図１において、本発明による電子機器筐体は図示を省略する回路基板などを内部に組み込む金属板製の筐体シャーシ１０を備え、上面及び両側面を開放された同筐体シャーシ１０は金属板を”コ”字状に曲げ加工して作る筐体カバー２０で覆われる点では従来と同様である。
【００１３】
即ち、対向した前面パネル部１１及び後壁１２をもつように曲げ加工される前記筐体シャーシ１０には、上部折返し片１３、後壁折返し１４、底壁内フランジ１５が形成され、筐体カバー２０の両カバー側壁２１は径大の取付孔３１に貫通される組立ねじ３２を用いて前記後壁折返し１４のねじ孔３３に固定され、筐体シャーシ１０と筐体カバー２０とでシールド構造の筐体が形成される。
【００１４】
また、筐体シャーシ１０の後部に突出成形される前記上部折返し片１３に対面した筐体カバー２０の前縁下面には、導電シール４０を保持できるシールリテーナ２２がスポット溶接され、ゴムチューブの外周面に金属網を積層して作られる同導電シール４０は、上部折返し片１３の突き当てによりシールリテーナ２２中で圧縮され、導電シール４０の外周面の金属網を介して筐体シャーシ１０の前面パネル部１１と筐体カバー２０の前部とが電気的に導通状態におかれることになる。
【００１５】
第１実施例においては、筐体シャーシ１０の後壁折返し１４に臨んだ筐体カバー２０の後部下面には筐体カバー２０の幅方向に延長された突当て部材６１がスポット溶接される。つまり、筐体シャーシ１０と筐体カバー２０との組立工程では、シールリテーナ２２に位置した導電シール４０に筐体シャーシ１０の上部折返し片１３を差し込み、導電シール４０を圧縮しながら筐体カバー２０の後部を筐体シャーシ１０に被せると、突当て部材６１の後面に筐体シャーシ１０の後壁折返し１４が直接に圧接され、手を離しても、筐体シャーシ１０から筐体カバー２０が外れなくなる。
【００１６】
第１実施例による電子機器の筐体構造は、以上のような構造であるから、筐体シャーシ１０と筐体カバー２０を組み立てるには、シールリテーナ２２に導電シール４０を位置しておき、筐体シャーシ１０の上部折返し片１３の先端を導電シール４０に当てがって、筐体カバー２０を筐体シャーシ１０の前面パネル部１１に向かって強く押せば、導電シール４０が圧縮される。
したがって、導電シール４０の同圧縮状態を保ったまま、シールリテーナ２２位置を支点として筐体カバー２０の後部を筐体シャーシ１０上に倒せば、筐体カバー２０の後部下面に固定された突当て部材６１が筐体シャーシ１０の上部折返し片１３の手前に割り込むから、筐体カバー２０から手を離すと、図２に示すように、導電シール４０の復元力により突当て部材６１の後縁が筐体シャーシ１０の上部折返し片１３で受承される。
【００１７】
つまり、この状態では、導電シール４０を介して筐体シャーシ１０の前面パネル部１１と筐体カバー２０の前部とが電気的導通状態におかれると同時に、筐体カバー２０に一体化された突当て部材６１及びこれに圧接される上部折返し片１３を介して筐体シャーシ１０の後壁１２と筐体カバー２０の後部とが電気的導通状態となる。
また、この状態では、筐体カバー２０のカバー側壁２１に形成する径大取付孔３１は、両底壁内フランジ１５の対応ねじ孔３３に完全に一致するので、余分な付加トルクなく、組立ねじ３２を締め付けるだけで筐体を組み立てることができる。
【００１８】
なお、メンテナンス時などにおいて、筐体シャーシ１０から筐体カバー２０を外すには、両組立ねじ３２を取り除き、筐体カバー２０の前部を筐体シャーシ１０の前面パネル部１１に強く押し付けつつ、筐体カバー２０の後部を上方に持ち上げるだけで分解できる。
【００１９】
図４は本発明の第２実施例による電子機器の筐体構造を示し、同第２実施例においては、前述した第１実施例と同一構造部分については同一符号を付して示してある。
第２実施例の筐体構造の特徴は、筐体シャーシ１０の後壁折返し１４から垂直に切り起こした複数の切起し片６２にある。即ち、これらの切起し片６２に対応した筐体カバー２０の後縁には対応切起し片６２が位置できる複数のリセス６３が形成され、これらの切起し片６２とリセス６３との係合によりリセス６３を圧縮状態に維持できる。
【００２０】
勿論、第２実施例の場合、筐体カバー２０を筐体シャーシ１０の前面パネル部１１に向かって押し付けて導電シール４０を圧縮し、筐体シャーシ１０の切起し片６２に筐体カバー２０のリセス６３を係合させた後、筐体シャーシ１０と筐体カバー２０とを組立ねじ３２で組み立てることができるが、この組立状態では、切起し片６２の前面に対するリセス６３の密着により筐体シャーシ１０の後部と筐体カバー２０の後部とが電気的に導通状態となり、筐体シャーシ１０の内部に組み込まれる電子素子類を外部磁界や外部電界から完全に遮蔽できる。
【００２１】
図５は本発明の変形例１を示し、筐体カバー２０の後縁に沿って整列した複数の係合孔６４を筐体カバー２０の後部に形成した例である。つまり、これらの係合孔６４は、図４で説明したリセス６３の代わりに用いられるもので、前述した対応切起し片６２に係合できるから、このような係合孔６４によっても、製造原価を割高とすることなく、導電シール４０を圧縮しながら、筐体シャーシ１０の後部と筐体カバー２０の後部とを電気的導通状態におくことができる。
【００２２】
また、図６は本発明の変形例２を示し、筐体カバー２０の幅方向に延長するノコ歯部材６５を筐体カバー２０の後部下面にスポット溶接した構造である。即ち、図示は省略するけれども、筐体シャーシ１０の上部折返し片１３にはノコ歯部材６５の歯部６５ａに接触できる歯が形成され、これらの歯部６５ａと歯の接触箇所の増加により筐体カバー２０の後部と筐体シャーシ１０の後部との間の電気的導通状態の改善が行われる。
【００２３】
図７は本発明の変形例３を示し、この変形例においては、”Ｌ”字状に折り返して構成した突当て片６６を筐体カバー２０の後部に一体成形してある。つまり、この突当て片６６の先端は、前述した筐体シャーシ１０の上部折返し片１３に当接されるから、前述した各実施例や変形例と同様に、組立や分解が容易で、完全なシールド構造の筐体を得ることができる。
【００２４】
【発明の効果】
以上の説明から明らかなように、本発明によれば、組立ねじの締め付けだけで筐体シャーシと筐体カバーを組み立てることができ、導電シールを圧縮しながら筐体シャーシに筐体カバーを嵌め込むだけで、導電シールの圧縮状態を維持でき、筐体シャーシのねじ孔と筐体カバーの取付孔とが自動的に一致するため、付加トルクなく組立ねじを緊締できる。勿論、本発明の筐体構造は、筐体シャーシや筐体カバーの打ち抜き・曲げ加工時に切起し片、リセス、係合孔、ノコ歯部材、突当て片を加工できるから、製造価格が高くなるなることもない。
【図面の簡単な説明】
【図１】本発明の第１実施例による電子機器の筐体構造の一部切り欠き分解斜視図である。
【図２】図３の１点鎖線で囲んだ部分の要部拡大図である。
【図３】同電子機器の筐体構造の側面図である。
【図４】本発明の第２実施例による電子機器の筐体構造の一部切り欠き分解斜視図である。
【図５】同電子機器の筐体構造の変形例１の説明図である。
【図６】同電子機器の筐体構造の変形例２の説明図である。
【図７】同電子機器の筐体構造の変形例３の説明図である。
【図８】従来の電子機器の筐体構造の一部切り欠き分解斜視図である。
【図９】図８の電子機器の筐体構造の要部拡大図である。
【図１０】同電子機器の筐体構造の一部切り欠き側面図である。
【図１１】図１０の１点鎖線で囲んだ部分の要部拡大図である。
【符号の説明】
１０　　　筐体シャーシ
１１　　　前面パネル部
１２　　　後壁
１３　　　上部折返し片
２０　　　筐体カバー
２１　　　カバー側壁
２２　　　シールリテーナ
３１　　　取付孔
３２　　　組立ねじ
３３　　　ねじ孔
４０　　　導電シール
６１　　　突当て部材
６２　　　切起し片
６３　　　リセス
６４　　　係合孔
６５　　　ノコ歯部材
６６　　　突当て片
【図１】
2004006546.tif 000003
【図２】
2004006546.tif 000004
【図３】
2004006546.tif 000005
【図４】
2004006546.tif 000006
【図５】
2004006546.tif 000007
【図６】
2004006546.tif 000008
【図７】
2004006546.tif 000009
【図８】
2004006546.tif 000010
【図９】
2004006546.tif 000011
【図１０】
2004006546.tif 000012
【図１１】
2004006546.tif 000013